(57)【要約】【課題】ブーツの形状保持機能が向上され、ブーツ内の消臭・殺菌効果を十分果たすことができ、さらには、使用後のブーツ内が汚れるおそれがないブーツ保型具を提供する。【解決手段】ブーツ保型具５は、中央板部１０と、係止片部１２と、外形構成部２０、４０と、片部６０と、差込み片部６２ａ、６２ｂとを有し、外形構成部２０と外形構成部４０とを中央板部１０の表側と裏側に配置させて、差込み片部６２ａ、６２ｂを切込み部１０ｂ、１０ｃに差し込むことにより、六角柱状に形成される。上面部３０、５０は、側面部２２、４２に対して折曲することにより側面部２２、４２の上面がカバーされる。ブーツ保型具５は、両面段ボールにより形成され、外側の面を構成するライナーには、梅の果実の種子を加熱して炭化したものを粉砕してなる梅種子炭化物が混入されている。【選択図】図９
2010154948.tif 000002
【特許請求の範囲】
【請求項１】
ブーツにおける足挿入部に差し込んでブーツの形状を保持するブーツ保型具であって、
ブーツ保型具が、１枚のシート状で段ボール材で、平板状を呈し、梅の果実の種子を加熱して炭化したものを粉砕してなる梅種子炭化物が混入された紙材からなる第１ライナーと、第１ライナーの一方の面に接着され、紙材を略波形形状に形成してなる中芯と、中芯の第１ライナー側とは反対側の面に接着された平板状の紙材からなる第２ライナーとを有する段ボール材により形成され、
板状で縦長の中央板部と、
中央板部の一方の側辺から折れ線を介して連設され、展開状態において略四角形状の第１外形構成部で、中央板部と第１外形構成部間の折れ線である第１折れ線の上端から斜め下方に形成された第２折れ線と、第１外形構成部の中央板部とは反対側の辺部の上端から斜め下方に形成された第３折れ線と、第２折れ線の端部と第３折れ線の端部の間に形成された第４折れ線と、第１外形構成部の上辺とで囲まれた略台形形状の第１上面部と、第１上面部よりも下方に設けられた第１側面部とに区画され、該第１側面部は、第２折れ線と第４折れ線の接続位置から下方に伸びた第５折れ線と、第３折れ線と第４折れ線の接続位置から下方に伸びた第６折れ線が形成されることにより、第１折れ線と第２折れ線と第５折れ線と第１外形構成部の下辺とに囲まれた第１側面構成部と、第５折れ線と第４折れ線と第６折れ線と第１外形構成部の下辺とに囲まれた第２側面構成部と、第６折れ線と第３折れ線と第１外形構成部の中央板部とは反対側の辺部と第１外形構成部の下辺とに囲まれた第３側面構成部とを有し、該第１上面部は、第２折れ線と第４折れ線の接続位置から上方に形成された第７折れ線と第３折れ線と第４折れ線の接続位置から上方に形成された第８折れ線とが形成されることにより、第２折れ線と第７折れ線と第１外形構成部の上辺とに囲まれた第１上面構成部と、第７折れ線と第４折れ線と第８折れ線と第１外形構成部の上辺とに囲まれた第２上面構成部と、第３折れ線と第８折れ線と第１外形構成部の上辺とに囲まれた第３上面構成部とを有する第１外形構成部と、
第１外形構成部の中央板部と反対側の辺部から折れ線を介して連設され、展開状態において略四角形状の第２外形構成部で、第１外形構成部と第２外形構成部間の折れ線である第９折れ線の上端から斜め下方に形成された第１０折れ線と、第２外形構成部の第１外形構成部とは反対側の辺部の上端から斜め下方に形成された第１１折れ線と、第１０折れ線の端部と第１１折れ線の端部の間に形成された第１２折れ線と、第２外形構成部の上辺とで囲まれた略台形形状の第２上面部と、第２上面部よりも下方に設けられた第２側面部とに区画され、該第２側面部は、第１０折れ線と第１２折れ線の接続位置から下方に伸びた第１３折れ線と、第１１折れ線と第１２折れ線の接続位置から下方に伸びた第１４折れ線が形成されることにより、第９折れ線と第１０折れ線と第１３折れ線と第２外形構成部の下辺とに囲まれた第４側面構成部と、第１３折れ線と第１２折れ線と第１４折れ線と第２外形構成部の下辺とに囲まれた第５側面構成部と、第１４折れ線と第１１折れ線と第２外形構成部の第１外形構成部とは反対側の辺部と第２外形構成部の下辺とに囲まれた第６側面構成部とを有し、該第２上面部は、第１０折れ線と第１２折れ線の接続位置から上方に形成された第１５折れ線と第１１折れ線と第１２折れ線の接続位置から上方に形成された第１６折れ線とが形成されることにより、第１０折れ線と第１５折れ線と第２外形構成部の上辺とに囲まれた第４上面構成部と、第１５折れ線と第１２折れ線と第１６折れ線と第２外形構成部の上辺とに囲まれた第５上面構成部と、第１１折れ線と第１６折れ線と第２外形構成部の上辺とに囲まれた第６上面構成部とを有する第２外形構成部と、
第２外形構成部の第１外形構成部とは反対側の辺部から突出して形成された差込み片部と、
中央板部と第１外形構成部との境界線に沿って形成され、差込み片部を差し込むための差込み部と、
を有し、
ブーツ保型具の組立て状態において、第１外形構成部が中央板部の一方の面側に配置され、第２外形構成部が中央板部の他方の面側に配置され、第１ライナーが外側となるように、第１外形構成部と第２外形構成部を中央板部に対して巻回し、差込み片部を差込み部に挿通することにより、第１側面部と第２側面部とにおいて、隣接する側面構成部同士が側面構成部間の折れ線を介して鈍角をなして、第１側面構成部と第２側面構成部と第３側面構成部と第４側面構成部と第５側面構成部と第６側面構成部とで略六角柱状に形成され、
第１上面構成部を第１側面構成部に対して中央板部側に折り曲げ、第２上面構成部を第１側面構成部に対して中央板部側に折り曲げ、第３上面構成部を第３側面構成部に対して中央板部側に折り曲げて、第１上面部を第１側面部に対して中央板部側に折り曲げることにより、第１側面部と中央板部間の上端の空間がカバーされ、第４上面構成部を第４側面構成部に対して中央板部側に折り曲げ、第５上面構成部を第５側面構成部に対して中央板部側に折り曲げ、第６上面構成部を第６側面構成部に対して中央板部側に折り曲げて、第２上面部を第２側面部に対して中央板部側に折り曲げることにより、第２側面部と中央板部間の上端の空間がカバーされることを特徴とするブーツ保型具。
【請求項２】
中央板部と第１外形構成部と第２外形構成部とが下方に行くほど幅が狭くなるテーパ状を呈することを特徴とする請求項１に記載のブーツ保型具。
【請求項３】
第２外形構成部の第１外形構成部とは反対側の辺部における差込み片部が連設された部分を除く部分から縦長の片部が形成され、ブーツ保型具の組立て状態においては、該片部は、中央板部の上記他方の面に密接することを特徴とする請求項１又は２に記載のブーツ保型具。
【請求項４】
中央板部の上辺からは切欠き又は切込みにより形成された係止手段が設けられた係止片部が突出して形成され、一対のブーツ保型具における係止片部の係止手段同士を係止することにより、一対のブーツ保型具を連結できることを特徴とする請求項１又は２又は３に記載のブーツ保型具。
【請求項５】
梅種子炭化物の粒径が、１０〜４０μｍであることを特徴とする請求項１又は２又は３又は４に記載のブーツ保型具。
【請求項６】
ブーツ保型具の製造方法であって、
古紙等のパルプ化材料をパルプ化するパルプ化工程で、パルプ化材料を調成前の紙繊維の状態にする調成前工程と、調成前工程で得られた紙繊維と、填料と、薬品と、梅の果実の種子を加熱して炭化したものを粉砕してなる梅種子炭化物を混合する調成工程と、を有するパルプ化工程と、パルプ化工程で得られたパルプを製紙して、梅種子炭化物が混入された紙を製造する製紙工程と、を有する紙製造工程と、
段ボールを製造する段ボール製造工程で、紙製造工程において製造された紙を段ボールにおけるライナーに用いて段ボールを製造する段ボール製造工程と、
段ボール製造工程において製造された段ボールを用いて、板状で縦長の中央板部と、中央板部の一方の側辺から折れ線を介して連設され、展開状態において略四角形状の第１外形構成部で、中央板部と第１外形構成部間の折れ線である第１折れ線の上端から斜め下方に形成された第２折れ線と、第１外形構成部の中央板部とは反対側の辺部の上端から斜め下方に形成された第３折れ線と、第２折れ線の端部と第３折れ線の端部の間に形成された第４折れ線と、第１外形構成部の上辺とで囲まれた略台形形状の第１上面部と、第１上面部よりも下方に設けられた第１側面部とに区画され、該第１側面部は、第２折れ線と第４折れ線の接続位置から下方に伸びた第５折れ線と、第３折れ線と第４折れ線の接続位置から下方に伸びた第６折れ線が形成されることにより、第１折れ線と第２折れ線と第５折れ線と第１外形構成部の下辺とに囲まれた第１側面構成部と、第５折れ線と第４折れ線と第６折れ線と第１外形構成部の下辺とに囲まれた第２側面構成部と、第６折れ線と第３折れ線と第１外形構成部の中央板部とは反対側の辺部と第１外形構成部の下辺とに囲まれた第３側面構成部とを有し、該第１上面部は、第２折れ線と第４折れ線の接続位置から上方に形成された第７折れ線と第３折れ線と第４折れ線の接続位置から上方に形成された第８折れ線とが形成されることにより、第２折れ線と第７折れ線と第１外形構成部の上辺とに囲まれた第１上面構成部と、第７折れ線と第４折れ線と第８折れ線と第１外形構成部の上辺とに囲まれた第２上面構成部と、第３折れ線と第８折れ線と第１外形構成部の上辺とに囲まれた第３上面構成部とを有する第１外形構成部と、第１外形構成部の中央板部と反対側の辺部から折れ線を介して連設され、展開状態において略四角形状の第２外形構成部で、第１外形構成部と第２外形構成部間の折れ線である第９折れ線の上端から斜め下方に形成された第１０折れ線と、第２外形構成部の第１外形構成部とは反対側の辺部の上端から斜め下方に形成された第１１折れ線と、第１０折れ線の端部と第１１折れ線の端部の間に形成された第１２折れ線と、第２外形構成部の上辺とで囲まれた略台形形状の第２上面部と、第２上面部よりも下方に設けられた第２側面部とに区画され、該第２側面部は、第１０折れ線と第１２折れ線の接続位置から下方に伸びた第１３折れ線と、第１１折れ線と第１２折れ線の接続位置から下方に伸びた第１４折れ線が形成されることにより、第９折れ線と第１０折れ線と第１３折れ線と第２外形構成部の下辺とに囲まれた第４側面構成部と、第１３折れ線と第１２折れ線と第１４折れ線と第２外形構成部の下辺とに囲まれた第５側面構成部と、第１４折れ線と第１１折れ線と第２外形構成部の第１外形構成部とは反対側の辺部と第２外形構成部の下辺とに囲まれた第６側面構成部とを有し、該第２上面部は、第１０折れ線と第１２折れ線の接続位置から上方に形成された第１５折れ線と第１１折れ線と第１２折れ線の接続位置から上方に形成された第１６折れ線とが形成されることにより、第１０折れ線と第１５折れ線と第２外形構成部の上辺とに囲まれた第４上面構成部と、第１５折れ線と第１２折れ線と第１６折れ線と第２外形構成部の上辺とに囲まれた第５上面構成部と、第１１折れ線と第１６折れ線と第２外形構成部の上辺とに囲まれた第６上面構成部とを有する第２外形構成部と、第２外形構成部の第１外形構成部とは反対側の辺部から突出して形成された差込み片部と、中央板部と第１外形構成部との境界線に沿って形成され、差込み片部を差し込むための差込み部と、を有するシート状のブランクを形成するブーツ保型具用ブランク形成工程と、
を有することを特徴とするブーツ保型具の製造方法。
【請求項７】
ブーツ保型具用ブランク形成工程において形成されたブーツ保型具用ブランクに対して、第１外形構成部が中央板部の一方の面側に配置され、第２外形構成部が中央板部の他方の面側に配置され、第１ライナーが外側となるように、第１外形構成部と第２外形構成部を中央板部に対して巻回し、差込み片部を差込み部に挿通することにより、第１側面部と第２側面部とにおいて、隣接する側面構成部同士が側面構成部間の折れ線を介して鈍角をなして、第１側面構成部と第２側面構成部と第３側面構成部と第４側面構成部と第５側面構成部と第６側面構成部とで略六角柱状に形成し、第１上面構成部を第１側面構成部に対して中央板部側に折り曲げ、第２上面構成部を第１側面構成部に対して中央板部側に折り曲げ、第３上面構成部を第３側面構成部に対して中央板部側に折り曲げて、第１上面部を第１側面部に対して中央板部側に折り曲げることにより、第１側面部と中央板部間の上端の空間をカバーし、第４上面構成部を第４側面構成部に対して中央板部側に折り曲げ、第５上面構成部を第５側面構成部に対して中央板部側に折り曲げ、第６上面構成部を第６側面構成部に対して中央板部側に折り曲げて、第２上面部を第２側面部に対して中央板部側に折り曲げることにより、第２側面部と中央板部間の上端の空間をカバーする組立て工程を有することを特徴とする請求項６に記載のブーツ保型具の製造方法。
【発明の詳細な説明】
【技術分野】
【０００１】
本発明は、ブーツの形状を保持させるブーツ保型具に関するものであり、特に、紙材により形成されたブーツ保型具に関するものである。
【背景技術】
【０００２】
従来より、靴としてのブーツの形状を保持するブーツ保型具が存在する。例えば、特許文献１の靴の形状保持具のように、矩形シートを中折れし、中折れ後の断面形状が略Ｖ字状をなすものや、特許文献２のブーツ用保持具のように、ブーツ用保持具の保持本体が楕円形状の円錐筒形状としたものが存在する。
【０００３】
また、特許文献２のブーツ用保持具は、保持本体の内側に糊材により炭パウダーをコーティングした紙により形成することにより、ブーツ内の臭い、湿気、カビ、ダニを除去するとしている。
【特許文献１】実用新案登録第３１４４２６２号公報
【特許文献２】特開２００２−２８２０１４号公報
【発明の開示】
【発明が解決しようとする課題】
【０００４】
しかし、上記特許文献１に記載の靴の形状保持具においては、矩形シートを折り曲げて断面形状が略Ｖ字状をなすものであるので、ブーツの形状の保持機能が低いという問題があった。同様に、特許文献２に記載のブーツ用保持具においては、厚紙又はボール紙で形成さた保持本体を筒形状にしたものであるので、ブーツの形状の保持機能が十分でないという問題があった。
【０００５】
さらに、特許文献２に記載のブーツ用保持具においては、炭パウダーが剥がれない用に、炭パウダーを糊材によりコーティングした面を保持本体の内側にしているが、炭パウダーをコーティングした面が内側となっているので、消臭・殺菌の効果が十分でないという問題があった。
【０００６】
また、特許文献２に記載のブーツ用保持具においては、炭パウダーが糊材によりコーティングされているので、炭パウダーをコーティングした面を内側としても、振動等により炭パウダーが脱落するおそれがあり、特許文献２に記載のブーツ用保持具をブーツに使用した後のブーツ内に炭パウダーが残ってしまい、ブーツ内が汚れるおそれがある。
【０００７】
そこで、本発明は、ブーツの形状保持機能が向上され、また、ブーツ内の消臭・殺菌効果を十分果たすことができ、さらには、使用後のブーツ内が汚れるおそれがないブーツ保型具を提供することを目的とするものである。
【課題を解決するための手段】
【０００８】
本発明は上記問題点を解決するために創作されたものであって、第１には、ブーツにおける足挿入部に差し込んでブーツの形状を保持するブーツ保型具であって、ブーツ保型具が、１枚のシート状で段ボール材で、平板状を呈し、梅の果実の種子を加熱して炭化したものを粉砕してなる梅種子炭化物が混入された紙材からなる第１ライナーと、第１ライナーの一方の面に接着され、紙材を略波形形状に形成してなる中芯と、中芯の第１ライナー側とは反対側の面に接着された平板状の紙材からなる第２ライナーとを有する段ボール材により形成され、板状で縦長の中央板部と、中央板部の一方の側辺から折れ線を介して連設され、展開状態において略四角形状の第１外形構成部で、中央板部と第１外形構成部間の折れ線である第１折れ線の上端から斜め下方に形成された第２折れ線と、第１外形構成部の中央板部とは反対側の辺部の上端から斜め下方に形成された第３折れ線と、第２折れ線の端部と第３折れ線の端部の間に形成された第４折れ線と、第１外形構成部の上辺とで囲まれた略台形形状の第１上面部と、第１上面部よりも下方に設けられた第１側面部とに区画され、該第１側面部は、第２折れ線と第４折れ線の接続位置から下方に伸びた第５折れ線と、第３折れ線と第４折れ線の接続位置から下方に伸びた第６折れ線が形成されることにより、第１折れ線と第２折れ線と第５折れ線と第１外形構成部の下辺とに囲まれた第１側面構成部と、第５折れ線と第４折れ線と第６折れ線と第１外形構成部の下辺とに囲まれた第２側面構成部と、第６折れ線と第３折れ線と第１外形構成部の中央板部とは反対側の辺部と第１外形構成部の下辺とに囲まれた第３側面構成部とを有し、該第１上面部は、第２折れ線と第４折れ線の接続位置から上方に形成された第７折れ線と第３折れ線と第４折れ線の接続位置から上方に形成された第８折れ線とが形成されることにより、第２折れ線と第７折れ線と第１外形構成部の上辺とに囲まれた第１上面構成部と、第７折れ線と第４折れ線と第８折れ線と第１外形構成部の上辺とに囲まれた第２上面構成部と、第３折れ線と第８折れ線と第１外形構成部の上辺とに囲まれた第３上面構成部とを有する第１外形構成部と、第１外形構成部の中央板部と反対側の辺部から折れ線を介して連設され、展開状態において略四角形状の第２外形構成部で、第１外形構成部と第２外形構成部間の折れ線である第９折れ線の上端から斜め下方に形成された第１０折れ線と、第２外形構成部の第１外形構成部とは反対側の辺部の上端から斜め下方に形成された第１１折れ線と、第１０折れ線の端部と第１１折れ線の端部の間に形成された第１２折れ線と、第２外形構成部の上辺とで囲まれた略台形形状の第２上面部と、第２上面部よりも下方に設けられた第２側面部とに区画され、該第２側面部は、第１０折れ線と第１２折れ線の接続位置から下方に伸びた第１３折れ線と、第１１折れ線と第１２折れ線の接続位置から下方に伸びた第１４折れ線が形成されることにより、第９折れ線と第１０折れ線と第１３折れ線と第２外形構成部の下辺とに囲まれた第４側面構成部と、第１３折れ線と第１２折れ線と第１４折れ線と第２外形構成部の下辺とに囲まれた第５側面構成部と、第１４折れ線と第１１折れ線と第２外形構成部の第１外形構成部とは反対側の辺部と第２外形構成部の下辺とに囲まれた第６側面構成部とを有し、該第２上面部は、第１０折れ線と第１２折れ線の接続位置から上方に形成された第１５折れ線と第１１折れ線と第１２折れ線の接続位置から上方に形成された第１６折れ線とが形成されることにより、第１０折れ線と第１５折れ線と第２外形構成部の上辺とに囲まれた第４上面構成部と、第１５折れ線と第１２折れ線と第１６折れ線と第２外形構成部の上辺とに囲まれた第５上面構成部と、第１１折れ線と第１６折れ線と第２外形構成部の上辺とに囲まれた第６上面構成部とを有する第２外形構成部と、第２外形構成部の第１外形構成部とは反対側の辺部から突出して形成された差込み片部と、中央板部と第１外形構成部との境界線に沿って形成され、差込み片部を差し込むための差込み部と、を有し、ブーツ保型具の組立て状態において、第１外形構成部が中央板部の一方の面側に配置され、第２外形構成部が中央板部の他方の面側に配置され、第１ライナーが外側となるように、第１外形構成部と第２外形構成部を中央板部に対して巻回し、差込み片部を差込み部に挿通することにより、第１側面部と第２側面部とにおいて、隣接する側面構成部同士が側面構成部間の折れ線を介して鈍角をなして、第１側面構成部と第２側面構成部と第３側面構成部と第４側面構成部と第５側面構成部と第６側面構成部とで略六角柱状に形成され、第１上面構成部を第１側面構成部に対して中央板部側に折り曲げ、第２上面構成部を第１側面構成部に対して中央板部側に折り曲げ、第３上面構成部を第３側面構成部に対して中央板部側に折り曲げて、第１上面部を第１側面部に対して中央板部側に折り曲げることにより、第１側面部と中央板部間の上端の空間がカバーされ、第４上面構成部を第４側面構成部に対して中央板部側に折り曲げ、第５上面構成部を第５側面構成部に対して中央板部側に折り曲げ、第６上面構成部を第６側面構成部に対して中央板部側に折り曲げて、第２上面部を第２側面部に対して中央板部側に折り曲げることにより、第２側面部と中央板部間の上端の空間がカバーされることを特徴とする。
【０００９】
第１の構成のブーツ保型具においては、中央板部の周りに第１側面部と第２側面部を設けた構成であり、第１側面部と第２側面部の内側に中央板部が設けられているので、ブーツ保型具を強固な構成とすることができ、これにより、ブーツの形状保持機能を向上させることができる。また、第１上面部と第２上面部とが中央板部に当接した状態となっているので、これにより第１側面部と第２側面部の形状が保持され、この点においても、ブーツ保型具を強固な構成とすることができ、これにより、ブーツの形状保持機能を向上させることができる。
【００１０】
また、梅種子炭化物を混入した第１ライナーがブーツ保型具の外側に面しているので、ブーツ内の消臭・抗菌を効果的に行なうことができる。つまり、第１ライナーが外側に面していることから、ブーツの内側の面に近い位置に梅種子炭化物を配置させることができ、消臭・抗菌効果を高く得ることができる。
【００１１】
また、梅種子炭化物は第１ライナー内に混入されているので、梅種子炭化物がライナーＣから脱落するおそれが小さい。つまり、梅種子炭化物をライナーの表面にコーティングする場合と比べて、梅種子炭化物が脱落するおそれを防止でき、ブーツ保型具を使用した後のブーツ内に梅種子炭化物が残存するおそれを防止することができ、ブーツ保型具を使用後のブーツ内が汚れるおそれがない。
【００１２】
また、第２には、上記第１の構成において、中央板部と第１外形構成部と第２外形構成部とが下方に行くほど幅が狭くなるテーパ状を呈することを特徴とする。よって、ブーツ保型具は下方にいくほど細くなるテーパ状となるので、ブーツ内への差込みが容易となる。
【００１３】
また、第３には、上記第１又は第２の構成において、第２外形構成部の第１外形構成部とは反対側の辺部における差込み片部が連設された部分を除く部分から縦長の片部が形成され、ブーツ保型具の組立て状態においては、該片部は、中央板部の上記他方の面に密接することを特徴とする。よって、第２外形構成部の端部においては、差込み片部が差込み部に挿通するとともに、片部が中央板部に密接するので、組立て状態のブーツ保型具をより強固にすることができる。
【００１４】
また、第４には、上記第１から第３までのいずれかの構成において、中央板部の上辺からは切欠き又は切込みにより形成された係止手段が設けられた係止片部が突出して形成され、一対のブーツ保型具における係止片部の係止手段同士を係止することにより、一対のブーツ保型具を連結できることを特徴とする。よって、一足のブーツ１００を容易に立設した状態に保つことができる。
【００１５】
また、第５には、上記第１から第４までのいずれかの構成において、梅種子炭化物の粒径が、１０〜４０μｍであることを特徴とする。
【００１６】
また、第６には、ブーツ保型具の製造方法であって、古紙等のパルプ化材料をパルプ化するパルプ化工程で、パルプ化材料を調成前の紙繊維の状態にする調成前工程と、調成前工程で得られた紙繊維と、填料と、薬品と、梅の果実の種子を加熱して炭化したものを粉砕してなる梅種子炭化物を混合する調成工程と、を有するパルプ化工程と、パルプ化工程で得られたパルプを製紙して、梅種子炭化物が混入された紙を製造する製紙工程と、を有する紙製造工程と、段ボールを製造する段ボール製造工程で、紙製造工程において製造された紙を段ボールにおけるライナーに用いて段ボールを製造する段ボール製造工程と、段ボール製造工程において製造された段ボールを用いて、板状で縦長の中央板部と、中央板部の一方の側辺から折れ線を介して連設され、展開状態において略四角形状の第１外形構成部で、中央板部と第１外形構成部間の折れ線である第１折れ線の上端から斜め下方に形成された第２折れ線と、第１外形構成部の中央板部とは反対側の辺部の上端から斜め下方に形成された第３折れ線と、第２折れ線の端部と第３折れ線の端部の間に形成された第４折れ線と、第１外形構成部の上辺とで囲まれた略台形形状の第１上面部と、第１上面部よりも下方に設けられた第１側面部とに区画され、該第１側面部は、第２折れ線と第４折れ線の接続位置から下方に伸びた第５折れ線と、第３折れ線と第４折れ線の接続位置から下方に伸びた第６折れ線が形成されることにより、第１折れ線と第２折れ線と第５折れ線と第１外形構成部の下辺とに囲まれた第１側面構成部と、第５折れ線と第４折れ線と第６折れ線と第１外形構成部の下辺とに囲まれた第２側面構成部と、第６折れ線と第３折れ線と第１外形構成部の中央板部とは反対側の辺部と第１外形構成部の下辺とに囲まれた第３側面構成部とを有し、該第１上面部は、第２折れ線と第４折れ線の接続位置から上方に形成された第７折れ線と第３折れ線と第４折れ線の接続位置から上方に形成された第８折れ線とが形成されることにより、第２折れ線と第７折れ線と第１外形構成部の上辺とに囲まれた第１上面構成部と、第７折れ線と第４折れ線と第８折れ線と第１外形構成部の上辺とに囲まれた第２上面構成部と、第３折れ線と第８折れ線と第１外形構成部の上辺とに囲まれた第３上面構成部とを有する第１外形構成部と、第１外形構成部の中央板部と反対側の辺部から折れ線を介して連設され、展開状態において略四角形状の第２外形構成部で、第１外形構成部と第２外形構成部間の折れ線である第９折れ線の上端から斜め下方に形成された第１０折れ線と、第２外形構成部の第１外形構成部とは反対側の辺部の上端から斜め下方に形成された第１１折れ線と、第１０折れ線の端部と第１１折れ線の端部の間に形成された第１２折れ線と、第２外形構成部の上辺とで囲まれた略台形形状の第２上面部と、第２上面部よりも下方に設けられた第２側面部とに区画され、該第２側面部は、第１０折れ線と第１２折れ線の接続位置から下方に伸びた第１３折れ線と、第１１折れ線と第１２折れ線の接続位置から下方に伸びた第１４折れ線が形成されることにより、第９折れ線と第１０折れ線と第１３折れ線と第２外形構成部の下辺とに囲まれた第４側面構成部と、第１３折れ線と第１２折れ線と第１４折れ線と第２外形構成部の下辺とに囲まれた第５側面構成部と、第１４折れ線と第１１折れ線と第２外形構成部の第１外形構成部とは反対側の辺部と第２外形構成部の下辺とに囲まれた第６側面構成部とを有し、該第２上面部は、第１０折れ線と第１２折れ線の接続位置から上方に形成された第１５折れ線と第１１折れ線と第１２折れ線の接続位置から上方に形成された第１６折れ線とが形成されることにより、第１０折れ線と第１５折れ線と第２外形構成部の上辺とに囲まれた第４上面構成部と、第１５折れ線と第１２折れ線と第１６折れ線と第２外形構成部の上辺とに囲まれた第５上面構成部と、第１１折れ線と第１６折れ線と第２外形構成部の上辺とに囲まれた第６上面構成部とを有する第２外形構成部と、第２外形構成部の第１外形構成部とは反対側の辺部から突出して形成された差込み片部と、中央板部と第１外形構成部との境界線に沿って形成され、差込み片部を差し込むための差込み部と、を有するシート状のブランクを形成するブーツ保型具用ブランク形成工程と、を有することを特徴とする。
【００１７】
この第６の構成のブーツ保型具の製造方法により製造されたブーツ保型具においては、第１外形構成部が中央板部の一方の面側に配置され、第２外形構成部が中央板部の他方の面側に配置され、第１ライナーが外側となるように、第１外形構成部と第２外形構成部を中央板部に対して巻回し、差込み片部を差込み部に挿通することにより、第１側面部と第２側面部とにおいて、隣接する側面構成部同士が側面構成部間の折れ線を介して鈍角をなして、第１側面構成部と第２側面構成部と第３側面構成部と第４側面構成部と第５側面構成部と第６側面構成部とで略六角柱状に形成し、第１上面構成部を第１側面構成部に対して中央板部側に折り曲げ、第２上面構成部を第１側面構成部に対して中央板部側に折り曲げ、第３上面構成部を第３側面構成部に対して中央板部側に折り曲げて、第１上面部を第１側面部に対して中央板部側に折り曲げることにより、第１側面部と中央板部間の上端の空間をカバーし、第４上面構成部を第４側面構成部に対して中央板部側に折り曲げ、第５上面構成部を第５側面構成部に対して中央板部側に折り曲げ、第６上面構成部を第６側面構成部に対して中央板部側に折り曲げて、第２上面部を第２側面部に対して中央板部側に折り曲げることにより、第２側面部と中央板部間の上端の空間をカバーすることにより、ブーツ保型具が組み立てられる。
【００１８】
ブーツ保型具においては、中央板部の周りに第１側面部と第２側面部を設けた構成であり、第１側面部と第２側面部の内側に中央板部が設けられているので、ブーツ保型具を強固な構成とすることができ、これにより、ブーツの形状保持機能を向上させることができる。また、第１上面部と第２上面部とが中央板部に当接した状態となっているので、これにより第１側面部と第２側面部の形状が保持され、この点においても、ブーツ保型具を強固な構成とすることができ、これにより、ブーツの形状保持機能を向上させることができる。
【００１９】
また、梅種子炭化物を混入した第１ライナーがブーツ保型具の外側に面しているので、ブーツ内の消臭・抗菌を効果的に行なうことができる。つまり、第１ライナーが外側に面していることから、ブーツの内側の面に近い位置に梅種子炭化物を配置させることができ、消臭・抗菌効果を高く得ることができる。
【００２０】
また、梅種子炭化物は第１ライナー内に混入されているので、梅種子炭化物がライナーＣから脱落するおそれが小さい。つまり、梅種子炭化物をライナーの表面にコーティングする場合と比べて、梅種子炭化物が脱落するおそれを防止でき、ブーツ保型具を使用した後のブーツ内に梅種子炭化物が残存するおそれを防止することができ、ブーツ保型具を使用後のブーツ内が汚れるおそれがない。
【００２１】
また、パルプ化工程における調整工程において、梅種子炭化物を混合するので、梅種子炭化物が混入された紙材を容易に製造することができる。
【００２２】
また、第７には、上記第６の構成において、ブーツ保型具用ブランク形成工程において形成されたブーツ保型具用ブランクに対して、第１外形構成部が中央板部の一方の面側に配置され、第２外形構成部が中央板部の他方の面側に配置され、第１ライナーが外側となるように、第１外形構成部と第２外形構成部を中央板部に対して巻回し、差込み片部を差込み部に挿通することにより、第１側面部と第２側面部とにおいて、隣接する側面構成部同士が側面構成部間の折れ線を介して鈍角をなして、第１側面構成部と第２側面構成部と第３側面構成部と第４側面構成部と第５側面構成部と第６側面構成部とで略六角柱状に形成し、第１上面構成部を第１側面構成部に対して中央板部側に折り曲げ、第２上面構成部を第１側面構成部に対して中央板部側に折り曲げ、第３上面構成部を第３側面構成部に対して中央板部側に折り曲げて、第１上面部を第１側面部に対して中央板部側に折り曲げることにより、第１側面部と中央板部間の上端の空間をカバーし、第４上面構成部を第４側面構成部に対して中央板部側に折り曲げ、第５上面構成部を第５側面構成部に対して中央板部側に折り曲げ、第６上面構成部を第６側面構成部に対して中央板部側に折り曲げて、第２上面部を第２側面部に対して中央板部側に折り曲げることにより、第２側面部と中央板部間の上端の空間をカバーする組立て工程を有することを特徴とする。
【発明の効果】
【００２３】
本発明に基づくブーツ保型具及びブーツ保型具の製造方法により製造されたブーツ保型具によれば、中央板部の周りに第１側面部と第２側面部を設けた構成であり、第１側面部と第２側面部の内側に中央板部が設けられているので、ブーツ保型具を強固な構成とすることができ、これにより、ブーツの形状保持機能を向上させることができる。また、第１上面部と第２上面部とが中央板部に当接した状態となっているので、これにより第１側面部と第２側面部の形状が保持され、この点においても、ブーツ保型具を強固な構成とすることができ、これにより、ブーツの形状保持機能を向上させることができる。
【００２４】
また、梅種子炭化物を混入した第１ライナーがブーツ保型具の外側に面しているので、ブーツ内の消臭・抗菌を効果的に行なうことができる。つまり、第１ライナーが外側に面していることから、ブーツの内側の面に近い位置に梅種子炭化物を配置させることができ、消臭・抗菌効果を高く得ることができる。
【００２５】
また、梅種子炭化物は第１ライナー内に混入されているので、梅種子炭化物がライナーＣから脱落するおそれが小さい。つまり、梅種子炭化物をライナーの表面にコーティングする場合と比べて、梅種子炭化物が脱落するおそれを防止でき、ブーツ保型具を使用した後のブーツ内に梅種子炭化物が残存するおそれを防止することができ、ブーツ保型具を使用後のブーツ内が汚れるおそれがない。
【発明を実施するための最良の形態】
【００２６】
本発明においては、ブーツの形状保持機能が十分であり、さらに、ブーツ内の消臭・殺菌効果が十分であるブーツ保型具を提供するという目的を以下のようにして実現した。
【００２７】
本発明に基づくブーツ保型具５は、図１〜図１０に示されるように構成され、テーパ状の中央板部１０と、中央板部１０の上端から連設された係止片部１２と、中央板部１０の側方の辺部である折れ線（第１折れ線）１０ａから連設され、中央板部１０の一方の面に設けられた外形構成部（第１外形構成部）２０と、外形構成部２０における中央板部１０とは反対側の辺部である折れ線（第９折れ線）２２ｃから連設され、中央板部１０の他方の面に設けられた外形構成部（第２外形構成部）４０と、外形構成部４０における外形構成部２０とは反対側の辺部である折れ線４２ｃから連設され、中央板部１０の他方の面に圧接する片部６０と、該折れ線４２ｃから連設され、中央板部１０と外形構成部２０の境界線に沿って形成された切込み部１０ｂ、１０ｃに差し込まれた差込み片部６２ａ、６２ｂとを有し、全体に下方にいくほど細くなる六角形状を呈している。ブーツ保型具５は、図９に示すように、１枚のシート状のブランク（具体的には、段ボール）により形成されている。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２８】
ここで、ブーツ保型具５を構成するブランクは、図１０に示すように、平板板状の板紙からなるライナー（第１ライナー）Ａと、ライナーＡの一方の面に接着され、紙（シート状部材）を略波状に形成してなる略波形形状の中芯Ｂと、中芯ＢのライナーＡ側とは反対側に接着され、梅の果実の種子を炭化して粉砕したもの（以下「梅種子炭化物」とする）が混入された平板状の板紙からなるライナー（第２ライナー）Ｃとを有するいわゆる両面段ボールである。ブーツ保型具５においては、ライナーＣがブーツ保型具５の内側の面に露出して設けられている。ライナーＣには梅種子炭化物Ｔが混入されているので、ライナーＣは茶系の色を呈している。また、ライナーＣ全体の重量に対して１０〜２０重量％の梅種子炭化物が混入されている。該梅種子炭化物の量を紙材全体の重量に対して１０％以上とするので、抗菌・消臭機能を十分得ることができ、また、２０％以下とするので、紙の機能に支障を来すことがない。ライナーＣの具体的な製造工程については後述する。なお、図９に示す展開図においては、ライナーＣ側が表れているものとして記載されている。
【００２９】
ここで、ブーツ保型具５の構成を主として展開図である図９を使用して説明すると、中央板部１０は、略台形形状を呈し、上端から下端にいくに従い幅狭となるテーパ状を呈している。中央板部１０の上側領域には、円形の開口部１０−１が形成されている。
【００３０】
また、係止片部１２は、中央板部１０の上辺から折れ線を介して連設され、中央板部１０の上辺から連設された略方形状の本体部１４と、本体部１４の中央板部１０とは反対側の辺部から連設された略方形状の突出片部１６とを有し、係止片部１２における一方の側部においては、本体部１４の辺部と突出片部１６の辺部とが直線状をなし、他方の側部においては、突出片部１６の辺部が本体部１４の辺部よりも該一方の側部側にあって、本体部１４と突出片部１６間には、差込み用の切欠き１８が形成されている。なお、切欠き１８は、切込みであってもよい。
【００３１】
また、外形構成部２０は、中央板部１０から折れ線１０ａを介して連設され、全体に台形形状（具体的には、等脚台形）を呈し、下端側が上端側よりも幅狭となっている。
【００３２】
ここで、外形構成部２０は、側面部（第１側面部）２２と、上面部（第１上面部）３０とを有していて、外形構成部２０における上端の台形形状の領域が上面部３０を構成し、上面部３０以外の領域が側面部２２を構成する。
【００３３】
すなわち、外形構成部２０の上端領域には、中央板部１０と外形構成部２０の境界線の上端から斜め下方に直線状に形成された折れ線（第２折れ線）３０ａと、折れ線３０ａの端部から外形構成部２０の上辺に平行に形成された折れ線（第４折れ線）３０ｂと、折れ線３０ｂの他方の端部と外形構成部２０と外形構成部４０の境界線の上端とを結ぶ折れ線（第３折れ線）３０ｃとが形成され、外形構成部２０の上辺と折れ線３０ａ、３０ｂ、３０ｃにより囲まれた領域が上面部３０を構成する。
【００３４】
また、側面部２２は、中央板部１０から折れ線１０ａを介して形成された側面構成部（第１側面構成部）２４と、側面構成部２４の折れ線１０ａとは反対側の辺部である折れ線（第５折れ線）２２ａを介して側面構成部２４から連設された側面構成部（第２側面構成部）２６と、側面構成部２６の折れ線２２ａとは反対側の辺部である折れ線（第６折れ線）２２ｂを介して側面構成部２６から連設された側面構成部（第３側面構成部）２８とを有し、側面構成部２４、２６、２８ともに下方にいくほど幅狭のテーパ状を呈している。なお、折れ線２２ａの上端は、折れ線３０ａと折れ線３０ｂの接続位置に繋がっており、また、折れ線２２ｂの上端は、折れ線３０ｂと折れ線３０ｃの接続位置に繋がっている。
【００３５】
なお、中央板部１０と外形構成部２０の境界位置には、切込み部１０ｂと切込み部１０ｃとが形成されている。つまり、折れ線１０ａに沿って略コ字状の切込み部１０ｂと切込み部１０ｃとが設けられ、切込み部１０ｂは上側に設けられ、切込み部１０ｃは下側に設けられている。切込み部１０ｂの切込み本体１０ｂ−１は折れ線１０ａと平行に折れ線１０ａよりもやや中央板部１０側に設けられ、切込み本体１０ｂ−１の両端から伸びた切込み端部１０ｂ−２、１０ｂ−３は、折れ線１０ａを超えて側面構成部２４にまで入り込んで形成されている。また、切込み本体１０ｂ−１の中央板部１０側には帯状の切欠部１０ｄが形成されている。同様に、切込み部１０ｃの切込み本体１０ｃ−１は折れ線１０ａと平行に折れ線１０ａよりもやや中央板部１０側に設けられ、切込み本体１０ｃ−１の両端から伸びた切込み端部１０ｃ−２、１０ｃ−３は、折れ線１０ａを超えて側面構成部２４にまで入り込んで形成されている。また、切込み本体１０ｃ−１の中央板部１０側には帯状の切欠部１０ｅが形成されている。切込み部１０ｂと切欠部１０ｄとで上記「中央板部と第１外形構成部との境界線に沿って形成され、差込み片部を差し込むための差込み部」が形成され、同様に、切込み部１０ｃと切欠部１０ｅとで上記「中央板部と第１外形構成部との境界線に沿って形成され、差込み片部を差し込むための差込み部」が形成される。
【００３６】
また、上面部３０は、側面構成部２４の上辺である折れ線３０ａを介して側面構成部２４から連設された上面構成部（第１上面構成部）３２と、側面構成部２６の上辺である折れ線３０ｂを介して側面構成部２６から連設された上面構成部（第２上面構成部）３４と、側面構成部２８の上辺である折れ線３０ｃを介して側面構成部２８から連設された上面構成部（第３上面構成部）３６とを有し、上面構成部３２と上面構成部３４とは折れ線（第７折れ線）３０ｄを介して連設され、上面構成部３４と上面構成部３６とは折れ線（第８折れ線）３０ｅを介して連設されている。折れ線３０ｄと折れ線３０ｅ間の長さは、外形構成部２０の上辺側にいくほど短くなるようにテーパ状を呈している。
【００３７】
また、外形構成部４０は、外形構成部２０と同様の構成である。すなわち、外形構成部４０は、外形構成部２０の中央板部１０とは反対側の辺部である折れ線２２ｃを介して外形構成部２０から連設され、全体に台形形状（具体的には、等脚台形）を呈し、下端側が上端側よりも幅狭となっている。
【００３８】
ここで、外形構成部４０は、側面部４２と、上面部５０とを有していて、外形構成部４０における上端の台形形状の領域が上面部５０を構成し、上面部５０以外の領域が側面部４２を構成する。
【００３９】
すなわち、外形構成部４０の上端領域には、外形構成部２０と外形構成部４０の境界線の上端から斜め下方に直線状に形成された折れ線（第１０折れ線）５０ａと、折れ線５０ａの端部から外形構成部４０の上辺に平行に形成された折れ線（第１２折れ線）５０ｂと、折れ線５０ｂの他方の端部と外形構成部４０と片部６０の境界線の上端とを結ぶ折れ線（第１１折れ線）５０ｃとが形成され、外形構成部４０の上辺と折れ線５０ａ、５０ｂ、５０ｃにより囲まれた領域が上面部５０を構成する。
【００４０】
また、側面部４２は、外形構成部２０から折れ線２２ｃを介して形成された側面構成部（第４側面構成部）４４と、側面構成部４４の折れ線２２ａとは反対側の辺部である折れ線（第１３折れ線）４２ａを介して側面部構成部４４から連設された側面構成部（第５側面構成部）４６と、側面構成部４６の折れ線４２ａとは反対側の辺部である折れ線（第１４折れ線）４２ｂを介して側面構成部４６から連設された側面構成部（第６側面構成部）４８とを有し、側面構成部４４、４６、４８ともに下方にいくほど幅狭のテーパ状を呈している。なお、折れ線４２ａの上端は、折れ線５０ａと折れ線５０ｂの接続位置に繋がっており、また、折れ線４２ｂの上端は、折れ線５０ｂと折れ線５０ｃの接続位置に繋がっている。
【００４１】
また、上面部５０は、側面構成部４４の上辺である折れ線５０ａを介して側面構成部４４から連設された上面構成部（第４上面構成部）５２と、側面構成部４６の上辺である折れ線５０ｂを介して側面構成部４６から連設された上面構成部（第５上面構成部）５４と、側面構成部４８の上辺である折れ線５０ｃを介して側面構成部４８から連設された上面構成部（第６上面構成部）５６とを有し、上面構成部５２と上面構成部５４とは折れ線（第１５折れ線）５０ｄを介して連設され、上面構成部５４と上面構成部５６とは折れ線（第１６折れ線）５０ｅを介して連設されている。折れ線５０ｄと折れ線５０ｅ間の長さは、外形構成部４０の上辺側にいくほど短くなるようにテーパ状を呈している。
【００４２】
また、片部６０は、外形構成部４０の外形構成部２０とは反対側の辺部である折れ線４２ｃを介して外形構成部４０から連設され、該折れ線４２ｃに沿って略台形形状（略帯状としてもよい）に形成されている。なお、厳密には、片部６０は、略台形形状から差込み片部６２ａ、６２ｂの領域を除いた形状となっている。
【００４３】
また、差込み片部６２ａ、６２ｂは、折れ線４２ｃから連設され、略方形状を呈している。つまり、差込み片部６２ａは、側面構成部４８の折れ線４２ｃの上側の位置から折れ線４２ｃを介して連設され、また、差込み片部６２ｂは、側面構成部４８の折れ線４２ｃの下側の位置から折れ線４２ｃを介して連設されている。
【００４４】
上記の片部６０と差込み片部６２ａ、６２ｂとは、片部６０と差込み片部６２ａ、６２ｂを構成する略台形形状の部材に折れ線４２ｃ上に端部を有する略コ字状の切込み６０ａ、６０ｂを形成することにより形成されている。
【００４５】
ブーツ保型具５の組立て状態においては、外形構成部２０が中央板部１０の背面側（Ｘ２側）に配置され、外形構成部４０が中央板部１０の正面側（Ｘ１側）に配置され、片部６０は、中央板部１０の正面側に密接していて、差込み片部６２ａは、切込み部１０ｂに差し込まれ、差込み片部６２ｂは、切込み部１０ｃに差し込まれている。また、中央板部１０における外形構成部２０が連設された側とは反対側の端部は、外形構成部２０と外形構成部４０の境界位置に当接している。
【００４６】
また、上面部３０は、側面部２２に対して折曲した状態となっていて、これにより、側面部２２と中央板部１０間の上方の空間がカバーされ、上面部３０の先端は、中央板部１０の背面側の面に当接している。同様に、上面部５０は、側面部４２に対して折曲した状態となっていて、これにより、側面部４２と中央板部１０間の上方の空間がカバーされ、上面部５０の先端は、中央板部１０の正面側の面に当接している。
【００４７】
また、側面部２２においては、隣接する側面構成部が鈍角をなし（つまり、側面構成部２４と側面構成部２６とが鈍角をなし、側面構成部２６と側面構成部２８とが鈍角をなす）、側面部４２においては、隣接する側面構成部が鈍角をなし（つまり、側面構成部４４と側面構成部４６とが鈍角をなし、側面構成部４６と側面構成部４８とが鈍角をなす）、６つの側面構成部により下方にいくほど細くなる六角柱状に形成されている。
【００４８】
また、ブーツ保型具５を組み立てた状態においては、側面部２２、４２、上面部３０、５０の外側の面は、ライナーＣが設けられた面となっている。
【００４９】
上記構成の紙製容器５の製造方法について説明する。全体の製造工程の流れとしては、図１１に示すように、ブーツ保型具５を構成する段ボール材に使用する紙を製造し（Ｓ１１、紙製造工程）、製造された紙により段ボール材を製造し（Ｓ１２、段ボール製造工程）、製造された段ボール材を型抜きし（Ｓ１３、型抜き工程）、型抜きした段ボール材を組み立てる（Ｓ１４、組立て工程）。
【００５０】
ここで、紙製造工程においては、ライナーＡに使用する紙や、中芯Ｂに使用する紙は、従来と同様の方法で製造する。
【００５１】
また、梅種子炭化物が混入されたライナーＣの製造工程は、図１２に示すように構成され、パルプ化工程（「パルプ製造工程」としてもよい）（Ｓ２１）と製紙工程（Ｓ２２）により構成され、パルプ化工程は、図１３に示す各工程により構成される。
【００５２】
すなわち、まず、古紙処理工程（Ｓ３１）において、パルプ化材料としての古紙がパルパーに投入されて、古紙に付着していたインキ等の付着物や紙の繊維同士が離解され、その後、スクリーンによってゴミや塵が除去され、その後、デッカマシンに投入されて、古紙に含まれている合成糊料や界面活性剤等の薬剤を除去する。
【００５３】
その後、古紙は、離解工程（Ｓ３２）において、再びパルパーに投入されて付着物や紙の繊維同士が離解され、さらに、セブンファイナーやトップファイナーによりパルパーで離解されなかった繊維を離解する。
【００５４】
その後、紙の繊維ごとに離解された古紙は、叩解工程（Ｓ３３）において、リファイナーに投入され、紙の繊維を叩いたり潰したりして繊維同士を絡みやすくする。なお、上記古紙処理工程（Ｓ３１）から叩解工程（Ｓ３３）までの工程が「パルプ化材料を調成前の紙繊維の状態にする調成前工程」に当たる。
【００５５】
その後、調成工程（Ｓ３４）において、叩解された古紙（つまり、調成前の紙繊維（パルプ））と、填料と、染顔料と、薬品と、梅種子炭化物とをミキサーに投入して混合する。この場合の梅種子炭化物は、梅の果実の種子を加熱して炭化したものをパウダー状に粉砕したもの（粒径：１０〜４０μｍ（好適には、２０〜３０μｍ）であり、例えば、梅干しから果肉を除いた後の種子を加熱して炭化したものを粉砕したものを用いる。梅種子炭化物の量としては、叩解された古紙（つまり、紙繊維）の重量に対して１０〜２０％の重量とする。例えば、叩解された古紙１００ｋｇに対して１０〜２０ｋｇの梅種子炭化物を投入する。なお、梅種子炭化物の量を紙繊維の重量の２０％よりも多くすると、紙としての機能（例えば、紙の強度等）が十分でなく、また、１０％よりも少なくすると、抗菌・消臭効果が十分でないので、上記のように１０〜２０％とするのが好適である。
【００５６】
また、填料としては、天然又は合成白色顔料（例えば、白土（クレー、粘土）、カオリン、炭酸カルシウム、二酸化チタン）が挙げられ、紙の白色度・不透明度・地合・表面の平滑性を向上させ、印刷時のインキ抜けなどを防ぐために投入される。また、薬品としては、紙の強度を高める薬品として、デンプンやＰＡＭ（ポリアクリルアミド）が挙げられ、水に濡れたときの強度（湿潤紙力）を高める薬品として、湿潤紙力剤が挙げられる。
【００５７】
以上のようにして、古紙処理工程と離解工程と叩解工程と調成工程とを経て、パルプが製造される。上記のパルプ化工程においては、従来のパルプ化工程と比べて、調成工程において梅種子炭化物を混入する点が異なるといえる。
【００５８】
なお、上記のパルプ化工程においては、デッカマシンによる処理は省略してもよく、離解工程や叩解工程を省略してもよく、また、フローテーターにより泡にインキを吸着させる工程を設けてもよい。つまり、例えば、パルパー、フローテーター、スクリーン、調成の順にパルプ化を行ってもよい。
【００５９】
また、上記は古紙からパルプ化する再生パルプの場合であるが、パルプ化材料としての木材片（チップ）から薬品を使って取り出した繊維を調成してパルプ化する化学パルプや、パルプ化材料としての木材片（チップ）をリファイナーですりつぶし、その後スクリーンで塵を取り漂白することにより得た繊維を調成してパルプ化する機械パルプによりパルプ化を行ってもよい。その場合にも、パルプ化工程の最後における調成工程において、得られた繊維と染料や顔料とを混合するとともに、上記調成の際に、梅種子炭化物を混合する。
【００６０】
上記のようにパルプが製造されたら、製紙工程（「抄造工程」又は「抄紙工程」としてもよい）（Ｓ２２）に移行し、製紙（「抄造」又は「抄紙」としてもよい）が行われる。この製紙工程は、従来の工程と同様の工程で行われる。すなわち、この製紙工程においては、ワイヤーパート、プレスパート、ドライパート、サイズプレス、カレンダーの順に処理が行われる。つまり、ワイヤーパートでは、網の上で繊維を絡み合わせながら水を切り紙層を形成し、プレスパートでは、紙層をフェルトの上に乗せて２本のロールの間を通して脱水し、ドライパートでは、蒸気で加熱した鉄製のドライヤーに紙を押しつけて乾燥させ、サイズプレスでは、紙の表面に薬品を塗布して印刷に適した紙にし、カレンダーでは、鉄製のロールの間に紙を通して紙の厚さの調成や紙の表面を滑らかにする。その後は、リールによる巻き取りを行い、ワインダーやカッターで断裁を行なう。上記ライナーＣは板紙であるので、上記ワイヤーパートにおいては、紙層を多層に形成する。以上のようにして、ライナーＣ用の紙が製造される。製造されたライナーＣ用の紙においては、梅種子炭化物により全体が薄い茶色となっている。また、ライナーＣにおいては、混入された多数の梅種子炭化物における少なくとも一部はライナーＣの表面から露出した状態となっている。
【００６１】
なお、カレンダーの前でドライパートの後に紙の表面を顔料等で塗工する塗工工程を設けてもよく、また、サイズプレスとカレンダーとの間にさらにドライパートを設けてもよい。また、リールで巻き取りを行なう前に、ペーパーマスターによる調湿工程を設けてもよい。
【００６２】
なお、ライナーＡ用の紙や、中芯Ｂ用の紙も上記と同様の工程で製造するが、ライナーＡ用の紙の場合には、梅種子炭化物は混入されていないので、上記調成工程においては、梅種子炭化物は混入されない。また、中芯Ｂ用の紙の場合にも、上記調成工程においては梅種子炭化物は混入されず、また、中芯用の紙は薄く形成するので、上記ワイヤーパートにおいては、紙層は１層（単層）に形成される。
【００６３】
上記のように、ライナーＡ用の紙と、中芯Ｂ用の紙と、ライナーＣ用の紙とを製造したら、それらの紙を使用して段ボール材を製造する（Ｓ１２）。
【００６４】
段ボール材の製造に際しては、従来と同様の方法により製造し、具体的には、コルゲータ（コルゲートマシン）により製造される。このコルゲータは通常のコルゲータと同様の構成であり、ライナーＡ用の紙を繰り出す手段と、中芯Ｂ用の紙を繰り出す手段と、ライナーＣ用の紙を繰り出す手段と、それぞれの紙を予熱する予熱ロールと、予熱された中芯Ｂ用の紙からコルゲート状の中芯を連続的に形成するための一組の歯形ロールと、形成された中芯の一方の面の頂部に接着剤を塗布する第１接着剤塗布手段と、接着剤が塗布された中芯ＢとライナーＡ用の紙とを歯形ロールの一方の上で連続的に貼り合わせて「シングルフェーサー」とよばれる片面ダンボール紙を形成するための圧着ロールを有する第１貼り合わせ手段と、形成された片面ダンボール紙の他方の面の頂部に接着剤を塗布する第２接着剤塗布手段と、接着剤を塗布された片面ダンボール紙とライナーＣ用の紙とを貼り合わせて「ダブルバッカー」とよばれる両面ダンボール紙を形成するとともに、接着剤を乾燥させ、走行の間に貼り付けを完了するように配置された第２貼り合わせ手段で、熱盤と多数の小さな圧着ロールを有する第２貼り合わせ手段などを有する。
【００６５】
上記の構成のコルゲータによりライナーＡと中芯ＢとライナーＣとからなる段ボール材を製造する。
【００６６】
段ボール材を製造したら、トムソン等の型抜き装置により図９に示す展開状態に段ボールの型抜きを行う（Ｓ１３、型抜き工程）。なお、折れ線の箇所には、罫線を形成しておく。この型抜き工程がブーツ保型具用ブランク形成工程に当たる。
【００６７】
段ボールの型抜きを行ったら、段ボールをブーツ保型具５の形状に組み立てる（Ｓ１４、組立て工程）。
【００６８】
組立てに当たっては、中央板部１０におけるライナーＣを正面側に向けた状態で、外形構成部２０を中央板部１０に対して中央板部１０の背面側に折り曲げ、折れ線２２ａ、２２ｂに沿って側面部２２を折り曲げて、該側面部２２を中央板部１０の背面側に位置させる（図１４参照）。その後、外形構成部４０を外形構成部２０に対して折り曲げ、外形構成部４０を中央板部１０の正面側に位置させ、折れ線４２ａ、４２ｂに沿って側面部４２を折り曲げる。つまり、中央板部１０と外形構成部２０と外形構成部４０とは、上方から視認した場合に、左回りに巻回した状態となっている。
【００６９】
その後、片部６０を外形構成部４０に対して内側に折り曲げて、片部６０のライナーＣ側の面を中央板部１０の正面側の面に接触した状態として、差込み片部６２ａを切込み部１０ｂに差し込み、差込み片部６２ｂを切込み部１０ｃに差し込む。これにより、図１５に示す態様となる。
【００７０】
その後、上面部３０を側面部２２に対して内側に折曲して、側面部２２と中央板部１０間の上方の空間をカバーし、また、上面部５０を側面部４２に対して内側に折曲して、側面部４２と中央板部１０間の上方の空間をカバーする。以上のようにして、ブーツ保型具５を組み立てる。以上のようにして、紙製造工程（Ｓ１１）と段ボール製造工程（Ｓ１２）と型抜き工程（Ｓ１３）と組立て工程（Ｓ１４）を経てブーツ保型具５が製造される。
【００７１】
なお、紙繊維の重量に対して１０〜２０％の重量の梅種子炭化物を混合するので、ブーツ保型具５を構成するライナーＣにおいては、ライナーＣ全体の重量に対して９〜１８重量％の梅種子炭化物が混入されていることになる。
【００７２】
なお、上記型抜き工程（Ｓ１３）において、切欠部１０ｄ内の片部や切欠部１０ｅ内の片部を残した状態にしておき、組立て工程（Ｓ１４）において、それらの片部を除去した後に組み立てるようにしてもよい。
【００７３】
次に、ブーツ保型具５の使用状態について説明する。ブーツ保型具５を使用する際には、図１６に示すように、ブーツ１００における足挿入部１１０に差し込んで使用する。すなわち、ブーツ１００は、くるぶしよりも下の部分であるフット部１０２と、くるぶしよりも上の部分であるシャフト部１０４から構成され、それぞれの内側の空間が足挿入部１１０となるが、シャフト部１０４の上方からブーツ保型具５の足挿入部１１０内に差し込んで使用する。これにより、ブーツの形状保持、しわ伸ばしやブーツの倒れ防止を行なうことができる。なお、一足のブーツ１００におけるそれぞれにブーツ保型具５を差し込んで、一対のブーツ保型具５の係止片部１２をその切欠き１８同士を係合させて連結させることにより一足のブーツ１００を容易に立設した状態に保つことができる。
【００７４】
なお、ブーツ保型具５は、上記のように１枚のブランクにより形成され、上記のように容易に組み立てることができるので、ブーツ保型具５の保管時や運搬時には、図９に示すような展開状態にしておき、ブーツ保型具５を使用する際に、組み立てるようにすればよい。
【００７５】
上記構成のブーツ保型具５においては、中央板部１０の周りに側面部２２、４２を設けた構成であり、側面部２２、４２の内側に中央板部１０が設けられているので、ブーツ保型具５を強固な構成とすることができ、これにより、ブーツの形状保持機能を向上させることができる。また、上面部３０、５０が中央板部１０に当接した状態となっているので、これにより側面部２２、４２の形状が保持され、この点においても、ブーツ保型具５を強固な構成とすることができ、これにより、ブーツの形状保持機能を向上させることができる。
【００７６】
また、ブーツ保型具５の組立て状態においては、該片部６０が中央板部１０の正面側の面に密接するので、外形構成部４０の端部においては、差込み片部６２ａ、６２ｂが切込み部１０ｂ、１０ｃに挿通するとともに、片部６０が中央板部１０に密接するので、組立て状態のブーツ保型具５をより強固にすることができる。
【００７７】
また、梅種子炭化物を混入したライナーＣがブーツ保型具５の外側に面しており、また、混入された多数の梅種子炭化物における少なくとも一部はライナーＣの表面から露出した状態となっているいるので、ブーツ内の消臭・抗菌を効果的に行なうことができる。つまり、ライナーＣが外側に面していることから、ブーツの内側の面に近い位置に梅種子炭化物を配置させることができ、消臭・抗菌効果を高く得ることができる。特に、ブーツ内部ではブーツ内の空気は対流しないので、ブーツの内側の面に近い位置に梅種子炭化物を配置するのは効果的である。
【００７８】
また、梅種子炭化物はライナーＣ内に混入されているので、梅種子炭化物がライナーＣから脱落するおそれが小さい。つまり、梅種子炭化物をライナーＣの表面にコーティングする場合と比べて、梅種子炭化物が脱落するおそれを防止でき、ブーツ保型具５を使用した後のブーツ内に梅種子炭化物が残存するおそれを防止することができ、ブーツ保型具５を使用後のブーツ内が汚れるおそれがない。
【００７９】
また、ブーツ保型具５の製造に際して、ライナーＣ用の紙の製造段階におけるパルプ化工程の調成工程において、梅種子炭化物を投入するので、紙材の表面に梅種子炭化物を塗布する工程が必要ない。
【００８０】
また、パルプの調成に際して、梅種子炭化物を混合するので、その分、紙パルプ資源を節約でき、製造コストを低減することができ、例えば、紙繊維の重量に対して１０〜２０％の重量の梅種子炭化物を混合させることにより、その分の紙繊維を節約することができる。また、梅種子炭化物を有効活用することができる。
【００８１】
また、ブーツ保型具５においては、中央板部１０と外形構成部２０と外形構成部４０とが下方にいくほど幅狭となるテーパ状に形成されているので、ブーツ保型具５は下方にいくほど細くなるテーパ状となるので、ブーツ内への差込みが容易となる。
【００８２】
また、上記の説明においては、ブーツ保型具５の外側のライナーＣに梅種子炭化物を混入したライナーを用いるものとして説明したが、内側のライナーＡもライナーＣと同様に梅種子炭化物が混入されたライナーとしてもよい。
【００８３】
また、上記の説明では、ブーツ保型具５を構成するブランクは、ライナーＡと中芯ＢとライナーＣとからなる両面段ボールにより構成されるものとしたが、ライナーＡの構成を省略して、片面段ボールとしてもよい。
【００８４】
また、上記の説明では、梅種子炭化物が混入された紙を用いて段ボールを製造し、その段ボールを用いてブーツ保型具５を製造するものとして説明したが、段ボールを製造することなく、梅種子炭化物が混入された紙を用いて紙製容器を製造してもよい。例えば、梅種子炭化物が混入された板紙（厚紙）を製造し、該板紙によりブーツ保型具５を製造してもよい。
【図面の簡単な説明】
【００８５】
【図１】本発明の実施例に基づくブーツ保型具の前方斜視図である。
【図２】本発明の実施例に基づくブーツ保型具の後方斜視図である。
【図３】本発明の実施例に基づくブーツ保型具の正面図である。
【図４】本発明の実施例に基づくブーツ保型具の背面図である。
【図５】本発明の実施例に基づくブーツ保型具の平面図である。
【図６】本発明の実施例に基づくブーツ保型具の底面図である。
【図７】本発明の実施例に基づくブーツ保型具の右側面図である。
【図８】本発明の実施例に基づくブーツ保型具の左側面図である。
【図９】本発明の実施例に基づくブーツ保型具の展開図である。
【図１０】本発明の実施例に基づくブーツ保型具を構成するブランクの断面図である。
【図１１】本発明の実施例に基づくブーツ保型具の製造工程を示すフローチャートだえる。
【図１２】紙製造工程における工程を示すフローチャートである。
【図１３】パルプ化工程における工程を示すフローチャートである。
【図１４】本発明の実施例に基づくブーツ保型具の組立て方法を示す斜視図である。
【図１５】本発明の実施例に基づくブーツ保型具の組立て方法を示す斜視図である。
【図１６】本発明の実施例に基づくブーツ保型具の使用状態を示す斜視図である。
【符号の説明】
【００８６】
５  ブーツ保型具
１０  中央板部
１０ａ、２２ａ、２２ｂ、２２ｃ、３０ａ、３０ｂ、３０ｃ、３０ｄ、３０ｅ、４２ａ、４２ｂ、４２ｃ、５０ａ、５０ｂ、５０ｃ、５０ｄ、５０ｅ  折れ線
１２  係止片部
１４  本体部
１６  突出片部
１８  切欠き
２０、４０  外形構成部
２２、４２  側面部
２４、２６、２８、４４、４６、４８  側面構成部
３０、５０  上面部
３２、３４、３６、５２、５４、５６  上面構成部
６０  片部
６２ａ、６２ｂ  差込み片部
１００  ブーツ
【図１】
2010154948.tif 000003
【図２】
2010154948.tif 000004
【図３】
2010154948.tif 000005
【図４】
2010154948.tif 000006
【図５】
2010154948.tif 000007
【図６】
2010154948.tif 000008
【図７】
2010154948.tif 000009
【図８】
2010154948.tif 000010
【図９】
2010154948.tif 000011
【図１０】
2010154948.tif 000012
【図１１】
2010154948.tif 000013
【図１２】
2010154948.tif 000014
【図１３】
2010154948.tif 000015
【図１４】
2010154948.tif 000016
【図１５】
2010154948.tif 000017
【図１６】
2010154948.tif 000018